(57)【特許請求の範囲】
【請求項１】
トンネルにおける吊鉄筋用定着部の施工に用いる吊鉄筋定着用組物であって、
連結部を有して、前記トンネルの防水シートの裏側に配置され、吊鉄筋を定着させる定着部材と、
係合部を有して、前記防水シートの表側に配置される仮止部材と、
を備え、前記係合部及び前記連結部の一方が、前記防水シートを通して、前記係合部及び前記連結部の他方と係合されることによって、前記定着部材が前記防水シートに仮止めされ、前記連結部が、前記係合部と着脱可能かつ前記係合部が外されて前記仮止部材が撤去された状態で前記吊鉄筋の端部と連結されることを特徴とする吊鉄筋定着用組物。
【請求項２】
前記定着部材が、前記防水シートの裏側の充填材に埋設される定着本体部と、前記定着本体部の前記防水シート側の端部に一体に設けられた添接板を有し、
前記仮止部材が、前記添接板との間に前記防水シートを挟み付ける押さえ板を有していることを特徴とする請求項１に記載の吊鉄筋定着用組物。
【請求項３】
トンネルに吊鉄筋用定着部を施工する方法であって、
連結部を有する定着部材を前記トンネルの防水シートの裏側に配置し、かつ係合部を有する仮止部材を前記防水シートの表側に配置するとともに、前記係合部及び前記連結部の一方を、前記防水シートを通して、前記係合部及び前記連結部の他方と係合させることによって、前記定着部材を前記防水シートに仮止めし、
次に、前記防水シートの裏側に充填材を充填することによって、前記定着部材を前記充填材に埋設し、
前記充填材の充填後、前記係合部を前記連結部から分離して、前記仮止部材を撤去し、
その後、吊鉄筋の端部を前記連結部に連結することにより、前記定着部材によって前記吊鉄筋を定着させることを特徴とする定着部施工方法。
【発明の詳細な説明】
【技術分野】
【０００１】
本発明は、トンネルにおける吊鉄筋用定着部の施工に用いる吊鉄筋定着用組物、及び前記定着部の施工方法に関する。
【背景技術】
【０００２】
トンネルの施工において、覆工コンクリートを構築するのに先立ち、地山掘削面に沿って防水シートを設けることは周知である（特許文献１〜３等参照）。特許文献１を参照すると、防水シートの裏側（地山側）には、吹付コンクリートからなる充填材が打設されて充填される。充填材の養生、硬化後、ハンマードリル等の穿孔機で防水シート及び充填材にアンカー孔を形成する。このアンカー孔に接着カプセルを挿入するとともに、アンカーボルトをアンカー孔に挿入する。アンカーボルトの先端部を防水シートの表側へ突出させ、この先端部にブチルゴム製パッキン付きの座金を介して連結ナットをねじ込み、この連結ナットを介してアンカーボルトと吊鉄筋とを連結する。その後、吊鉄筋を用いて覆工コンクリート用鉄筋を組み付け、コンクリートを打設することにより、覆工コンクリートを構築する。
特許文献３においては、地山掘削面に沿って型枠を設置し、この型枠の型面上に防水シートを敷設したうえで、地山掘削面と防水シートとの間にコンクリート又はモルタルからなる一次覆工層（充填材）を打設して充填している。
【先行技術文献】
【特許文献】
【０００３】
【特許文献１】特許第５４４８８９６号公報
【特許文献２】実用新案登録第３０７７９１４号公報
【特許文献３】特開平１１−３４３７９５号公報
【発明の概要】
【発明が解決しようとする課題】
【０００４】
前記特許文献１等の従来工法では、吊鉄筋用定着部の施工は、コンクリートやモルタル等の充填材の打設充填、養生後でなければ行うことができなかった。すなわち、充填材が硬化するのを待って、アンカー孔の形成工程、接着カプセルの挿入工程、アンカーボルトの挿入工程、更には接着カプセルの硬化待ち工程を行う必要があった。そのため、施工に時間がかかっていた。また、工具として、アンカー孔を形成するためのハンマードリルが必要であった。ハンマードリルは、重量があり、かつ高価で、電源も必要であるため、台数が限られる。しかも、ハンマードリルでアンカー孔を真っ直ぐに形成するには、ある程度の熟練技能を要し、作業者なら誰でも出来るような作業ではない。
本発明は、かかる事情に鑑み、トンネルの吊鉄筋用定着部を簡易かつ効率的に施工することを目的とする。
【課題を解決するための手段】
【０００５】
前記問題点を解決するために、本発明物は、トンネルにおける吊鉄筋用定着部の施工に用いる吊鉄筋定着用組物であって、
連結部を有して、前記トンネルの防水シートの裏側に配置され、吊鉄筋を定着させる定着部材と、
係合部を有して、前記防水シートの表側に配置される仮止部材と、
を備え、前記係合部及び前記連結部の一方が、前記防水シートを通して、前記係合部及び前記連結部の他方と係合されることによって、前記定着部材が前記防水シートに仮止めされることを特徴とする。
【０００６】
この吊鉄筋定着用組物によれば、仮止部材によって定着部材を防水シートに仮止めした状態で、防水シートの裏側に充填材を充填することによって、定着部材を充填材に埋設できる。これによって、充填材の形成後における吊鉄筋定着のための所要工程を省略又は簡単化できる。要するに、アンカー孔の形成工程、接着カプセルの挿入工程、アンカーボルトの挿入工程、接着カプセルの硬化待ち工程を必要としない。したがって、施工期間を短縮できる。また、仮止部材の着脱は、手操作や、レンチ若しくはドライバー等の簡易な汎用工具で行うことができ、熟練技能を必要としない。これによって、吊鉄筋用定着部を簡易かつ効率的に施工することできる。
充填材の養生、硬化後、吊鉄筋の定着部材への定着作業を行うことができる。
【０００７】
前記連結部が、前記係合部と着脱可能かつ前記吊鉄筋の端部と連結可能であることが好ましい。
これによって、充填材の充填後（好ましくは養生、硬化後）、仮止部材の係合部を定着部材の連結部から外して仮止部材を撤去でき、その後、吊鉄筋の定着部材への定着作業を行うことができる。したがって、連結部を、仮止部材との連結用と、吊鉄筋との連結用とに兼用できる。言い換えると、定着部材における吊鉄筋との連結部を、仮止部材との連結部としても兼用できる。したがって、定着部材には、仮止部材専用の連結部を別途設ける必要がない。よって、定着部材の構造を簡素化できる。また、防水シートには、吊鉄筋用の貫通穴だけを形成しておけばよく、この貫通穴を定着部材の仮止め用穴として兼用することができる。
【０００８】
前記定着部材が、前記防水シートと裏側の充填材に埋設される定着本体部と、前記定着本体部の前記防水シート側の端部に一体に設けられた添接板を有し、
前記仮止部材が、前記添接板との間に前記防水シートを挟み付ける押さえ板を有していることが好ましい。
これによって、定着部材を防水シートに安定的に仮止め固定できる。
【０００９】
本発明方法は、トンネルに吊鉄筋用定着部を施工する方法であって、
連結部を有する定着部材を前記トンネルの防水シートの裏側に配置し、かつ係合部を有する仮止部材を前記防水シートの表側に配置するとともに、前記係合部及び前記連結部の一方を、前記防水シートを通して、前記係合部及び前記連結部の他方と係合させることによって、前記定着部材を前記防水シートに仮止めし、
次に、前記防水シートの裏側に充填材を充填することによって、前記定着部材を前記充填材に埋設し、
その後、前記定着部材によって吊鉄筋を定着させることを特徴とする。
これによって、充填材の形成後における吊鉄筋定着のための所要工程を省略又は簡単化でき、吊鉄筋用定着部を簡易かつ効率的に施工することできる。
【００１０】
前記充填材の充填後、前記係合部を前記連結部から分離して、前記仮止部材を撤去し、
その後、前記吊鉄筋の端部を前記連結部に連結して定着させることが好ましい。
これによって、定着部材における吊鉄筋との連結部を、仮止部材との連結部として兼用できる。したがって、定着部材の構造を簡素化して作製を容易化できる。また、防水シートにおける吊鉄筋用の貫通穴を、定着部材の仮止め用穴として兼用できる。したがって、仮止め用穴の形成作業、及び仮止部材を撤去した後の仮止め用穴のシール作業を省略できる。
【発明の効果】
【００１１】
本発明によれば、トンネルの吊鉄筋用定着部を簡易かつ効率的に施工できる。
【図面の簡単な説明】
【００１２】
【図１】図１は、本発明の第１実施形態に係る吊鉄筋及び吊鉄筋用定着部を有するトンネルを示す正面断面図である。
【図２】図２は、図１の円部ＩＩを拡大して示す正面断面図である。
【図３】図３（ａ）は、前記吊鉄筋用定着部の施工に用いる吊鉄筋定着用組物の分解斜視図である。同図（ｂ）は、前記吊鉄筋定着用組物を別の方向から見た分解斜視図である。
【図４】図４は、前記吊鉄筋用定着部の施工手順を示し、同図（ａ）は、前記吊鉄筋定着用組物の定着部材及び仮止部材を、防水シートを挟んで両側に配置した状態の正面図であり、同図（ｂ）は、前記定着部材及び仮止部材を防水シートに取り付けた状態の正面図である。なお、防水シートは断面にして図示する。
【図５】図５は、前記吊鉄筋用定着部の施工手順を示し、同図（ａ）は、前記吊鉄筋定着用組物を取り付けた防水シートを型枠上に設置した状態の正面断面図であり、同図（ｂ）は、前記防水シートの裏側に充填材を充填した状態の正面断面図である。
【図６】図６は、前記吊鉄筋用定着部の施工手順を示し、同図（ａ）は、仮止部材を撤去する段階の正面断面図であり、同図（ｂ）は、吊鉄筋を定着部材に定着させる段階の正面断面図である。
【発明を実施するための形態】
【００１３】
以下、本発明の一実施形態を図面にしたがって説明する。
図１に示すように、地山２が掘削されてトンネル１が形成されている。トンネル１の地山掘削面２ａに沿って防水シート３が張られている。防水シート３の裏側（防水シート３と地山掘削面２ａとの間）には、充填材４が充填されている。図２に示すように、防水シート３は、非透水層３ａと、透水層３ｂとの積層シートである。非透水層３ａは、例えばエチレン・酢酸ビニル共重合樹脂（ＥＶＡ）等の樹脂やゴムにて構成され、高い非透水性を有している。透水層３ｂは、例えば不織布にて構成されている。非透水層３ａがトンネル１の内側（図２において下側）へ向けられ、透水層３ｂが充填材４側（図２において上側）へ向けられている。充填材４は、例えばモルタルやコンクリート等で構成されている。地山掘削面２ａと充填材４との間に、吹付コンクリートが設けられていてもよい。
【００１４】
図１に示すように、トンネル１の内壁の１又は複数の所定箇所には、吊鉄筋用定着部５が設けられている。この吊鉄筋用定着部５によって吊鉄筋６の基端部が定着されて支持されている。なお、図１では、トンネル１の天井部の１つの吊鉄筋用定着部５及び吊鉄筋６のみを図示する。詳細な図示は省略するが、吊鉄筋６を用いて、覆工コンクリート用鉄筋が組み付けられるとともにコンクリートが打設されることにより、覆工コンクリート７が構築されている。
【００１５】
図２に示すように、吊鉄筋用定着部５は、定着部材１０と、締付ナット５０と、座金５１を含む。定着部材１０は、充填材４に埋設されている。吊鉄筋６の基端部（図２において上端部）が、防水シート３の貫通穴３ｃを通して、定着部材１０に連結されて定着されている。なお、定着部材１０については、追って更に詳述する。吊鉄筋６の基端部には、定着部材１０との連結用の雄ネジ６ａが刻設されている。この雄ネジ６ａに締付ナット５０が螺合されている。締付ナット５０は、防水シート３の表側（トンネル１の内側）に配置されている。
【００１６】
締付ナット５０と防水シート３との間に、座金５１が挟み付けられている。座金５１は、金属製の座金本体５１ａと、パッキン５１ｂとを含み、環状になっている。座金５１の中心穴５１ｃに吊鉄筋６の基端部が挿通されている。座金本体５１ａの防水シート３側の面にパッキン５１ｂが貼り付けられている。パッキン５１ｂは、例えばブチルゴムにて構成されている。締付ナット５０の締め付けによって、パッキン５１ｂが、防水シート３に押し当てられている。これによって、防水シート３の貫通穴３ｃが液密にシールされている。
【００１７】
図３は、吊鉄筋用定着部５の施工に用いる吊鉄筋定着用組物９を示したものである。吊鉄筋定着用組物９は、前記定着部材１０と、仮止部材２０にて構成されている。定着部材１０は、定着本体部１１と、添接板１３を一体に有している。定着本体部１１及び添接板１３の材質は、鋼、ステンレス、鉄等の金属である。定着本体部１１は、円柱形状になっているが、これに限られず、角柱形状や異形断面形状になっていてもよい。定着本体部１１の基端部（地山２側を向く端部）には、大径かつ環状の定着凸部１１ｄが形成されている。定着凸部１１ｄによって、定着部材１０の充填材４への定着強度を高めることができる。
【００１８】
定着本体部１１の先端部（トンネル１の内側を向く端部）には、ネジ穴１１ｃが形成されている。ネジ穴１１ｃは、定着本体部１１の先端面（トンネル１の内側を向く面）から定着部材１０の軸線に沿って凹設されている。ネジ穴１１ｃの内周面に雌ネジ１１ｂが刻設されている。
【００１９】
定着本体部１１の先端部に添接板１３が一体に設けられている。添接板１３は、円環状の平板状になっており、その中央部には挿通穴１３ｃが形成されている。添接板１３の外径は、定着本体部１１よりも大径である。添接板１３の中央部に定着本体部１１の先端部が溶接にて連結されている。添接板１３の挿通穴１３ｃが、定着本体部１１のネジ穴１１ｃと連通している。これら挿通穴１３ｃ及びネジ穴１１ｃによって、吊鉄筋６との連結部１２が構成されている。挿通穴１３ｃは、ネジ穴１１ｃよりも少し大径である。
【００２０】
図２に示すように、トンネル１において、定着部材１０は、防水シート３の裏側（地山２側）に配置されている。定着本体部１１が、充填材４に埋設されて定着されている。添接板１３が、防水シート３の裏面（充填材４側の面）に当てられている。連結部１２が貫通穴３ｃと位置合わせされている。
【００２１】
図４に示すように、仮止部材２０は、吊鉄筋用定着部５の施工の際に定着部材１０を防水シート３に仮止めするための治具である。図６（ａ）に示すように、仮止部材２０は、吊鉄筋６の設置前に撤去される。したがって、図２に示すように、仮止部材２０は、トンネル１の最終構成物とはならない。
【００２２】
詳しくは、図３に示すように、仮止部材２０は、係合部２２と、押さえ板２３を一体に有している。係合部２２及び押さえ板２３の材質は、鋼、ステンレス、鉄等の金属である。係合部２２は、イモネジにて構成されている。すなわち、係合部２２は、円柱形状になっており、その外周部に雄ネジ２２ｂが形成されている。雄ネジ２２ｂは、雌ネジ１１ｂに螺合可能である。したがって、係合部２２は、連結部１２と着脱自在に係合可能になっている。係合部２２の表側の端面（図３（ａ）において下端面）には、操作凹部２２ｃが形成されている。操作凹部２２ｃは、例えば六角形になっている。六角レンチ等の工具を操作凹部２２ｃに差し込むことで、係合部２２ひいては仮止部材２０を回転操作できる。なお、操作凹部２２ｃは、プラスドライバー用の十字溝やマイナスドライバー用のマイナス形溝であってもよい。仮止部材２０に突起を設けて直接回転操作ができるようにしてもよい。
【００２３】
押さえ板２３は、円環状の平板状になっている。押さえ板２３の外径は、添接板１３の外径と略等大になっている。なお、押さえ板２３が、添接板１３よりも大径であってもよく、小径であってもよい。押さえ板２３の中央部には、取付穴２３ｃが形成されている。この取付穴２３ｃに係合部２２の表側の端部（図３（ａ）において下端部）が嵌め込まれている。かつ、係合部２２と押さえ板２３とが、カシメや溶接にて一体に連結されている。押さえ板２３の表側の面（図３（ａ）において下面）と、係合部２２の表側の端面（図３（ａ）において下端面）とは、面一になっている。押さえ板２３の中央部から係合部２２が定着部材１０へ向けて突出されている。
【００２４】
トンネル１の施工手順を、吊鉄筋用定着部５及び吊鉄筋６の施工手順を中心に説明する。
＜仮止め工程＞
図４（ａ）に示すように、防水シート３を挟んで、裏側には定着部材１０を配置し、表側には仮止部材２０を配置する。防水シート３には、予め貫通穴３ｃを形成しておき、定着部材１０の連結部１２を貫通穴３ｃと位置合わせする。
【００２５】
続いて、図４（ｂ）に示すように、係合部２２を貫通穴３ｃに通すとともに、仮止部材２０を定着部材１０に対して相対回転させて、係合部２２を連結部１２の雌ネジ１１ｂに螺合（着脱自在に係合）する。仮止部材２０の相対回転操作は、手操作や、六角レンチなどの簡易な汎用工具を用いて簡単に行うことができる。そして、添接板１３と押さえ板２３とによって防水シート３を挟み付ける。これによって、定着部材１０を防水シート３に仮止め固定することができる。定着部材１０における吊鉄筋６との連結部１２を仮止部材２０との連結部としても兼用することによって、定着部材１０には、仮止部材２０と係合させるためだけの専用の連結部を別途設ける必要がない。したがって、定着部材１０の構造を簡素化でき、製造コストを低減できる。また、防水シート３には、吊鉄筋６用の貫通穴３ｃだけを形成しておけばよく、この貫通穴３ｃを定着部材１０の仮止め用穴として兼用することができる。したがって、仮止め用穴の形成作業、及び後記撤去工程後の仮止め用穴のシール作業を省略できる。
【００２６】
＜型枠設置工程＞
また、図５（ａ）に示すように、トンネル１の地山掘削面２ａに沿って型枠８を設置する。この型枠８の外周面（地山２を向く面）上に、防水シート３を配置する。防水シート３に予め吊鉄筋定着用組物９を取り付けておくことで、防水シート３を型枠８上に配置するのと同時に、吊鉄筋定着用組物９をも型枠８上に配置することができる。これによって、定着部材１０の配置作業を効率化できる。
なお、型枠８は、固定構造に限られず、図示しない台車上に設けられることで可動式になっていてもよい。
【００２７】
＜充填工程＞
続いて、図５（ｂ）に示すように、防水シート３と地山２との間にコンクリートやモルタル等の充填材４を打設して充填する。これによって、定着部材１０が充填材４に埋設される。したがって、充填材４の充填後の定着部材１０の埋設作業は不要である。
【００２８】
＜撤去工程＞
充填材４が硬化したら型枠８を撤去する。これによって、仮止部材２０がトンネル１内に露出される。続いて、図６（ａ）に示すように、仮止部材２０を回して係合部２２を連結部１２から外すことで、仮止部材２０を定着部材１０から分離して撤去する。仮止部材２０の回転操作は、前記仮止め時と同様に、手操作や、六角レンチなどの簡易な汎用工具を用いて簡単に行うことができる。
撤去した仮止部材２０は、別の吊鉄筋用定着部５の施工に使い回すことができる。
【００２９】
＜吊鉄筋定着工程＞
次に、図６（ｂ）に示すように、防水シート３上の仮止部材２０が在った位置に座金５１を配置するとともに、吊鉄筋６の端部の雄ネジ６ａを、座金５１の中心穴５１ｃ及び防水シート３の貫通穴３ｃに通して、連結部１２の雌ネジ１１ｂと螺合させる。さらには、締付ナット５０を締め付ける。これによって、図２に示すように、吊鉄筋６を、定着部５を介してトンネル１に定着できる。
【００３０】
＜覆工コンクリート構築工程＞
図示は省略するが、その後、吊鉄筋６を用いて、覆工コンクリート用鉄筋を組む。そして、型枠を設置して、コンクリートを打設する。これによって、図１において二点鎖線にして示す覆工コンクリート７が構築される。
【００３１】
この施工方法によれば、前述した通り、定着部材１０を防水シート３に予め仮止めしておくことで、防水シート３を型枠８上に配置すれば、自動的に定着部材１０をも型枠８上に配置することができる。また、充填材４の充填によって、定着部材１０を充填材４中に埋設できるから、充填材４の養生硬化後における吊鉄筋６の定着のための所要工程を省略又は簡単化できる。要するに、アンカー孔の形成工程、接着カプセルの挿入工程、アンカーボルトの挿入工程、接着カプセルの硬化待ち工程を必要としない。したがって、施工期間を短縮することできる。また、アンカー孔を形成するためのハンマードリル等の穿孔機は不要であり、接着カプセルも不要であるから、設備コストを低減できる。工具としては、仮止部材２０を着脱するための六角レンチのような汎用工具があればよく、その操作には熟練技能を要しない。これによって、吊鉄筋用定着部５を簡易かつ効率的に施工することができる。
【００３２】
本発明は、前記実施形態に限られず、その趣旨を逸脱しない範囲内で種々の改変をなすことができる。
充填材４は、一次覆工となるコンクリートやモルタルであってもよく裏込め材であってもよい。
例えば、定着部材１０の連結部１２が、定着本体部１１から仮止部材２０側へ向かって突出するボルトにて構成され、このボルトが防水シート３の貫通穴３ｃを通して、仮止部材２０と係合されるようになっていてもよい。仮止部材２０の係合部２２は、前記連結部１２を構成するボルトと螺合可能なナットにて構成されていてもよい。さらに、吊鉄筋６の雄ネジ６ａ上のナット５０が、雄ネジ６ａから前記連結部１２を構成するボルトに跨ることで、ナット５０を介して吊鉄筋６と定着部材１０とが連結されるようにしてもよい。
連結部１２と係合部２２は、互いに係合するものであればよく、螺合に限られず、フック式やバネ式で弾性的に係止されるようになっていてもよく、多少ガタツキを持って係合するようになっていてもよい。
定着部材１０が、吊鉄筋６用の連結部と、仮止部材２０用の連結部とを別々に有していてもよい。この場合、仮止部材２０を防水シート３上に残置したままで、吊鉄筋６と定着部材１０とを連結してもよい。
施工手順は適宜改変してもよい。例えば、型枠８に防水シート３を設置するのと併行して、吊鉄筋定着用組物９を防水シート３に取り付けてもよく、型枠８に防水シート３を設置した後、吊鉄筋定着用組物９を防水シート３に取り付けてもよい
【産業上の利用可能性】
【００３３】
本発明は、トンネルにおける覆工コンクリートを構築するための吊鉄筋の定着施工に適用できる。
【符号の説明】
【００３４】
１          トンネル
２          地山
３          防水シート
３ｃ        貫通穴
４          充填材
５          吊鉄筋用定着部
６          吊鉄筋
９          吊鉄筋定着用組物
１０        定着部材
１２        連結部
１３        添接板
２０        仮止部材
２２        係合部
２３        押さえ板
【図１】
0006504830.tif 000002
【図２】
0006504830.tif 000003
【図３】
0006504830.tif 000004
【図４】
0006504830.tif 000005
【図５】
0006504830.tif 000006
【図６】
0006504830.tif 000007